(57)【要約】【課題】複数の遊技領域を備えたパチンコ遊技機において、従来にない遊技性により遊技者の興趣をさらに高められるパチンコ遊技機を提供することを課題とする。【解決手段】パチンコ遊技機１は、前面のガラス扉１０と、ガラス扉１０に面し前面遊技領域２０ａを形成する前面遊技盤２０と、この前面遊技盤２０の後方に設けられ後面遊技領域３０ａを形成する後面遊技盤３０とを備える。前後方向に延びて前面遊技領域２０ａ及び後面遊技領域３０ａと区画する筒状部５２を有し、内部に遊技空間５０（第３遊技領域）を形成する役物装置５１が設けられる。筒状部５２には前面遊技領域２０ａを流下する玉が遊技空間５０に入球可能な前面受入口５４と、後面遊技領域３０ａを流下する玉が遊技空間５０に入球可能な後面受入口５３とが設けられる。【選択図】図４
2006167024.tif 000002
【特許請求の範囲】
【請求項１】
前面ガラスに面する第１遊技領域と、この第１遊技領域の後方に形成される第２遊技領域とを備えるとともに、それぞれの遊技領域に玉の流下方向を変更する障害物或いは玉を受け入れる受入口が配置されたパチンコ遊技機において、
前記第１遊技領域と第２遊技領域とにまたがって前後方向に、それら遊技領域を横断するように、前記第１遊技領域及び第２遊技領域とは区画された第３遊技領域を形成する遊技空間形成部材を備えたことを特徴とするパチンコ遊技機。
【請求項２】
前記遊技空間形成部材は、前後方向に延びて前記第１遊技領域及び第２遊技領域と区画する筒状形態をなし、その筒状部の内側に前記第３遊技領域が形成され、その筒状部には前記第１遊技領域を流下する玉が前記第３遊技領域に入球可能な、前記第１遊技領域と連通する前面受入口と、前記第２遊技領域を流下する玉が前記第３遊技領域に入球可能な、前記第２遊技領域と連通する後面受入口とが設けられた請求項１に記載のパチンコ遊技機。
【請求項３】
前記遊技空間形成部材には、前記第３遊技領域に入った玉の流下を変化させることが可能なステージ面が形成され、このステージ面を経由して、その第３遊技領域の外に玉が排出されるようにされ、
その排出された玉が、前記第１遊技領域または第２遊技領域のいずれかに設けられた入賞口に入賞し易いような位置に、前記第３遊技領域と連通する誘導出口が設けられる請求項１又は２に記載のパチンコ遊技機。
【請求項４】
前記遊技空間形成部材は、前記第２遊技領域を形成する後面遊技盤に取付けられるとともに、この後面遊技盤と積層状態にあって前記第１遊技領域を形成する前面遊技盤には、前記遊技空間形成部材の筒状部が挿通可能な挿通孔が形成されている請求項２または３に記載のパチンコ遊技機。
【請求項５】
前記遊技空間形成部材の筒状部は、少なくともその側面壁の外壁面が斜面状に形成されて前方にいくほど先細りとなるようにされている請求項２ないし４のいずれか１項に記載のパチンコ遊技機。
【発明の詳細な説明】
【技術分野】
【０００１】
本発明は、パチンコ遊技機に関する。
【背景技術】
【０００２】
従来のパチンコ遊技機は１面の遊技領域しか備えておらず、どのパチンコ台であっても変わり映えしないものであった。ところで特許文献１には、遊技領域の一部を２重にする技術が開示されている。
【０００３】
【特許文献１】特開２００１−３３４０２７号公報
【発明の開示】
【発明が解決しようとする課題】
【０００４】
しかしながら、特許文献１における遊技機では、落下する玉がたまたま奥の遊技領域に入ったり、前面の遊技領域に出てきたり、というだけで、視覚的な目新しさはあるものの、遊技性として格別に遊技者の関心を抱かせるまでのものではなかった。ところで先に、発明者は、前面ガラス扉に面し前後に遊技盤が積層状態に配置され複数の遊技領域が形成されるとともに、発射された玉がそれら遊技領域のいずれか一つに打ち込まれるように構成されたパチンコ遊技機の提案をした。このような遊技機では、複数の遊技領域の遊技性を異ならせることができ、遊技者の関心を高められるが、興趣の面で十分とは言い難かった。
【０００５】
本発明は上記した背景をもとになされたもので、複数の遊技領域を備えたパチンコ遊技機において、従来にない遊技性により遊技者の興趣をさらに高められるパチンコ遊技機を提供することを課題とする。
【課題を解決するための手段及び発明の効果】
【０００６】
上記課題を解決するために本発明パチンコ遊技機は、前面ガラスに面する第１遊技領域と、この第１遊技領域の後方に形成される第２遊技領域とを備えるとともに、それぞれの遊技領域に玉の流下方向を変更する障害物或いは玉を受け入れる受入口が配置されたパチンコ遊技機において、
第１遊技領域と第２遊技領域とにまたがって前後方向に、それら遊技領域を横断するように、第１遊技領域及び第２遊技領域とは区画された第３遊技領域を形成する遊技空間形成部材を備えたことを特徴とする。
【０００７】
上記本発明のパチンコ遊技機は、第１遊技領域と、この第１遊技領域の後方に第２遊技領域とを備えた構成としている。そして、第１遊技領域と第２遊技領域とにまたがって前後方向に、それら遊技領域を横断するように、第１遊技領域及び第２遊技領域とは区画された第３遊技領域を形成する遊技空間形成部材を備えており、第１遊技領域と第２遊技領域とに加え第３遊技領域が形成され、従来にない新しい遊技領域を創出でき、例えばその新しい第３遊技領域に第１遊技領域及び第２遊技領域から玉を取り込むことを可能にすることで、遊技性を高め遊技者の興趣をさらに高めることができる。
【０００８】
その際、遊技空間形成部材は、前後方向に延びて第１遊技領域及び第２遊技領域と区画する筒状形態をなし、その筒状部の内側に第３遊技領域が形成され、その筒状部には第１遊技領域を流下する玉が第３遊技領域に入球可能な、第１遊技領域と連通する前面受入口と、第２遊技領域を流下する玉が第３遊技領域に入球可能な、第２遊技領域と連通する後面受入口とを設けることができる。このように第１遊技領域及び第２遊技領域のいずれの遊技領域を流下した玉も新しい第３遊技領域に入る可能性があり、その第３遊技領域へ入るルートが増え、遊技者に従来にない遊技性を提供できる。
【０００９】
また、その際、遊技空間形成部材には、第３遊技領域に入った玉の流下を変化させることが可能なステージ面が形成され、このステージ面を経由して、その第３遊技領域の外に玉が排出されるようにできる。そして、その排出された玉が、第１遊技領域または第２遊技領域のいずれかに設けられた入賞口に入賞し易いような位置に、第３遊技領域と連通する誘導出口を設けることができる。このように新しい第３遊技領域に入った玉は、入賞口に入賞し易いように構成され、その第３遊技領域に入ることで遊技者に入賞への期待感を高めることができるとともに、その第３遊技領域におけるステ−ジ面で、例えば玉の動きがゆっくりとなって流下していくように玉の流下に変化をつけさせて、期待感を持続しながら遊技者がその玉の動きを楽しむことができる。
【００１０】
さらに、その際、遊技空間形成部材は、第２遊技領域を形成する後面遊技盤に取付けられるとともに、この後面遊技盤と積層状態にあって第１遊技領域を形成する前面遊技盤には、遊技空間形成部材の筒状部が挿通可能な挿通孔を形成するようにできる。このように積層状態の後面遊技盤と前面遊技盤において、遊技空間形成部材が後面遊技盤に、前面遊技盤に対し突き出すように取付けることができる。
【００１１】
また、その際、遊技空間形成部材の筒状部は、少なくともその側面壁の外壁面が斜面状に形成されて前方にいくほど先細りとなるようにできる。これにより後面遊技盤と前面遊技盤とを積層状態に配置する際に、例えば前面遊技盤が回動自在に設けられた場合などに、筒状部が前面遊技盤の挿通孔にスムーズに通され、所定の積層状態に配置する作業が容易に行える。
【発明を実施するための最良の形態】
【００１２】
（実施例）
以下、本発明の実施の形態につき、図面に示す実施例を参照して説明する。図１は本発明のパチンコ遊技機１の正面模式図である。パチンコ遊技機１は、台枠２に蝶番３を介して開閉可能に取り付けられた透明ガラス扉１０と、台枠２の内側に配置されてガラス扉１０によって覆われ、円状に前面遊技領域２０ａ（第１遊技領域）を形成する透明板状の前面遊技盤２０と、この前面遊技盤２０の後方に同じく円状に後面遊技領域３０ａ（第２遊技領域）を形成する後面遊技盤３０とを有する。
【００１３】
前面遊技盤２０と後面遊技盤３０とは積層状態をなし、前面遊技盤２０が透明板で形成され、後面遊技領域３０ａは遊技者から透視可能となっている。前面遊技盤２０と後面遊技盤３０とが積層状態で遊技可能状態にある。これら遊技盤２０,３０の下方には、玉供給皿４が設けられている。玉供給皿４に準備された玉は、ハンドル５を含んで構成される玉発射機構によって遊技盤２０,３０のいずれか一つに打ち込まれるように発射される。実施例では後面遊技領域３０ａに玉が打ち込まれる例を示している。後面遊技盤３０に達した玉は、その遊技盤３０の面上（後面遊技領域３０ａ）を落下する。
【００１４】
図２はガラス扉１０の正面図である。ガラス扉１０は、方形状のガラス枠板１１に方形状のガラス板１２が嵌め込まれており、ガラス枠板１１の円状の開口部１１ａよりガラス板１２を通して遊技領域が透視可能となっている。ガラス枠板１１の一側端（前面側から見て左方）の上下２箇所に、蝶番３の軸部３ａ,３ａが取付けられている。
【００１５】
図３は前面遊技盤２０及び後面遊技盤３０の正面図、図４は前面遊技盤２０及び後面遊技盤３０の斜視図である。前面遊技盤２０は、方形状の透明板２１の中央に前面遊技領域２０ａが形成されている。後面遊技盤３０は、方形板状をなし方形状の台枠２の内側の凹部６に固定されている。凹部６は、ガラス扉１０側を前方側、台の裏側にあたる側を後方側としたとき、前後方向に所定深さを有して形成されている。後面遊技盤３０の中央に後面遊技領域３０ａが形成されている。台枠２の一側面（前面側から見て左方）の上下２箇所に、蝶番３の軸部３ａ,３ａと嵌合する軸受部３ｂ,３ｂが設けられている。軸部３ａ,３ａが軸受部３ｂ,３ｂと係合した状態で、ガラス扉１０は台枠２に開閉自在に取付けられている。
【００１６】
前面遊技盤２０には、透明板２１の一側端（前面側から見て左方の位置）の上部と下部に突出して枢軸部２２,２２が設けられている。一方台枠２の凹部６を形成する上面壁６ａと底面壁６ｂとの前面側から見て左方位置には、前面遊技盤２０の枢軸部２２と嵌合する軸受穴７,７が形成されている。枢軸部２２,２２が軸受穴７,７に嵌合した状態で、前面遊技盤２０は台枠２に回動自在に取付けられる。
【００１７】
そして、透明板２１の枢軸部２２,２２が設けられた側とは反対側（前面側から見て右側）の位置に、前面遊技盤２０の移動を不可とするロック部材として側面より出没自在にスライド式係止片２３,２３が設けられている。係止片２３,２３には把手部２３ａが形成され、把手部２３ａが操作されることによりスライドする。一方台枠２の凹部６の前面側から見て右方の側面壁６ｃには、係止片２３,２３が側面より出現状態のときに、嵌合して係止する係止穴８,８が設けられている。係止片２３,２３が係止穴８,８に係止した状態で前面遊技盤２０は、ロックされ台枠２に固定された状態を呈する。ロックされた状態で前面遊技盤２０と後面遊技盤３０とは積層状態となり、遊技可能状態となる。係止片２３,２３をスライドさせて、非出現状態としロックを解除することにより、前面遊技盤２０は枢軸部２２,２２を中心にして回動可能となり、後面遊技盤３０と離間した状態（遊技不可状態）に移動ができる。
【００１８】
前面遊技盤２０は、ガラス扉１０と後面遊技盤３０との間に層状に配置され、かつ回動自在に設けられる。ガラス扉１０を開けて係止片２３,２３をスライドさせる（ロックを解除する）ことにより、前面遊技盤２０が後面遊技盤３０と離間した状態を呈し、後面遊技領域３０ａの釘調整や清掃などのメンテナスを行うことができる。
【００１９】
なお、台枠２の前面側から見て右方中央位置に施錠手段として施錠部材（例えばシリンダー錠）９が取付けられている。遊技店の店員らが施錠部材９に鍵を挿入して回転するなどの操作をすることにより、ガラス扉１０を開いた状態とすることができるようにしている。なお、台枠２は、遊技台を固定する機枠（図示せず）に回動自在に枢支された構成となっており、開け閉めされるものである。
【００２０】
次に、前面遊技盤２０及び後面遊技盤３０の盤面上の構成について説明する。パチンコ遊技機１の中央には、前面遊技領域２０ａと後面遊技領域３０ａとにまたがって前後方向にそれら遊技領域を横断するように、内側に前面遊技領域２０ａ及び後面遊技領域３０ａとは区画された遊技空間５０（第３遊技領域）を形成する役物装置５１（遊技空間形成部材）が設けられている。
【００２１】
図５は役物装置を正面からみて立体的に表した図、図６は図５のＡ−Ａ断面図である。役物装置５１は、前面が開口し前後方向に延びた筒状形態をなした一つのハウジング（筐体）で構成されている。役物装置５１の後部には液晶表示部３２が配設されている。役物装置５１の前後方向に延びた筒状部５２により前面遊技領域２０ａ及び後面遊技領域３０ａと区画された遊技空間５０が形成されている。
【００２２】
筒状部５２は、中央が高い円弧状に形成された上面壁５２ａと、その円弧状の上面壁５２ａ下端から垂直に下方に延びた側面壁５２ｂ,５２ｂとを有している。そして、筒状部５２の後面遊技領域３０ａに位置する上面壁５２ａには、その後面遊技領域３０ａを流下する玉が遊技空間５０に入球可能な後面遊技領域３０ａと連通する円形状の後面受入口５３が複数（実施例では２個）設けられている。後面受入口５３は、上面壁５２ａの左右側面壁５２ｂ,５２ｂに近い位置に設けられる。また、筒状部５２の前面遊技領域２０ａに位置する側面壁５２ｂ,５２ｂには、その前面遊技領域２０ａを流下する玉が遊技空間５０に入球可能な前面遊技領域２０ａと連通する四角形状の前面受入口５４が複数（実施例では左右側面壁に各１個、計２個）設けられている。
【００２３】
筒状部５２の下面壁５２ｃは、ガラス扉１０との間に玉が通過可能な開口５５を有するように設けられる。開口５５は前面遊技領域２０ａと連通している。筒状部５２の下面壁５２ｃ上には、遊技空間５０に入った玉の流下速度及び流下方向を変化させるために、左右方向にみて中央が低い波形状をなすとともに、前後方向にみて中央部がわずかに高いステージ面５２ｄが形成されている。そのステージ面５２ｄの前方に開口５５が形成されるとともに、ステージ面５２ｄの中央後方には、この遊技空間５０に入った玉を、外に排出する排出口５６が設けられている。
【００２４】
上記の役物装置５１は、後面遊技盤３０に取付けられている。すなわち後面遊技盤３０と積層状態に配置される前面遊技盤２０には役物装置５１の筒状部５２が挿通可能な挿通孔２４が形成され、役物装置５１は後面遊技盤３０に、前面遊技盤２０に対し突出すように取付けられている。前面遊技盤２０は、前述のように回動自在に構成されており、回動時に筒状部５２が挿通孔２４をスムーズに通るように、筒状部５２の外面寸法より大とし所定の隙間を形成するように挿通孔２４の孔の大きさが定められている。
【００２５】
役物装置５１の後部に配設された液晶表示部３２には、３つのキャラクタ（数字）で構成された図柄が変動表示される特別図柄表示部３２ａが設けられている。後面遊技盤３０において、役物装置５１の下方には、入賞時に大当たり抽選が行われその抽選結果に基づいて特別図柄変動が行われる特別始動可変入賞口３３が配置されている。特別始動可変入賞口３３の左方には、普図始動入賞口３４が設けられている。特別始動可変入賞口３３の下方には、特別図柄表示部３２ａに所定の停止図柄が示されたときに当該パチンコ遊技機１が大当たりとなって開放する大入賞口３５と、玉を回収するための後面アウト口３６とが設けられている。特別始動可変入賞口３３には、入賞口の両側に可動部材３３ａ,３３ａが可動自在に設けられ、動作時に左右に開くように可変式の入賞口として構成されている。普図始動入賞口３４の入賞に基づいて図柄変動する普図が所定の図柄を示した場合、特別始動可変入賞口３３の可動部材３３ａ,３３ａの開放動作が所定時間行なわれる。
【００２６】
そして、役物装置５１の排出口５６と誘導流通路５７を介し連通し、遊技空間５０に入った玉が導かれる誘導出口３７が、特別始動可変入賞口３３の真上の位置（特別始動可変入賞口３３に入賞する確率を高める位置）に設けられ、特別始動可変入賞口３３に玉が入賞し易くしている。
【００２７】
液晶表示部３２において、特別図柄表示部３２ａの上方には保留玉表示部３２ｂが設けられている。保留玉表示部３２ｂでは、特別始動可変入賞口３３の入賞により得られる大当たり抽選結果を保留情報として記憶し、記憶された保留数を表示するものである。本実施例では特別図柄の保留数（保留玉）の上限は４個に設定されている。
【００２８】
そして、前面遊技領域２０ａと後面遊技領域３０ａとの間を玉が移動する移動口が前面遊技盤２０に複数設けられている。役物装置５１の上方に前面移動口２５、役物装置５１の下方の特別始動可変入賞口３３との間の左右に後面移動口２６,２７がそれぞれ設けられている。
【００２９】
図７は前面移動口の斜視図及び縦断面図である。前面移動口２５は、前面遊技盤２０から後面遊技領域３０ａに張出して上面に方形状の開口２５ａを有する後部樋２５ｂと、前面遊技盤２０から前面遊技領域２０ａに張出して下面に方形状の開口２５ｃを有する前部樋２５ｄとを備えている。それら開口２５ａ及び２５ｃは、前面遊技盤２０に設けられた挿通孔２２５と連通している。開口２５ａ及び２５ｃは、奥行方向に対し左右方向の幅が長く所定幅を有して形成され、その幅の間で玉の通過が可能となっている。これにより後面遊技領域３０ａに打ち込まれた玉が、開口２５ａから前面移動口２５に入った場合、開口２５ｃより前面遊技領域２０ａに排出される。
【００３０】
図８は後面移動口の斜視図及び縦断面図である。後面移動口２６,２７は同じ構造をしており、後面移動口２６を代表として説明する。後面移動口２６は、前面遊技盤２０から前面遊技領域２０ａに張出して上面に方形状の開口２６ａを有する前面樋２６ｂを備えている。開口２６ａは、前面遊技盤２０に設けられた挿通孔２２６と連通している。開口２６ａは、奥行方向に対し左右方向の幅が長く所定幅を有して形成され、その幅の間で玉の通過が可能となっている。これにより前面遊技領域２０ａを流下する玉が、開口２６ａから後面移動口２６に入った場合、挿通孔２２６より後面遊技領域３０ａに排出される。
【００３１】
前面遊技盤２０の下方には、玉を回収するための前面アウト口２８が設けられている。また、後面遊技盤３０には、玉が発射装置（図示せず）から打ち出される位置から後面遊技領域３０ａまで玉を誘導するレールとして、後面レール３８が設けられている。さらに、後面遊技盤３０には、レール３８の飛び出し口から離間して後面遊技領域３０ａを横断した反対側部分にクッション材で形成された跳ね返し部材３９が設けられ、玉の発射強さが強いときに、玉が衝突して後面遊技領域３０ａ上に跳ね返されるようにしている。なお、前面遊技盤２０及び後面遊技盤３０のそれぞれ面上には玉の流下方向を変更する障害物として、障害釘１９が複数設けられている。
【００３２】
そして、パチンコ遊技機１には、ＣＰＵ、ＲＯＭ、ＲＡＭ及び入出力回路Ｉ／Ｏを有する制御部（図示せず）が備えられ、ＲＯＭに格納されたパチンコ遊技機１の全体を制御する制御プログラムによって、例えば入賞口への入賞に起因した大当たり抽選、抽選結果に基づいた図柄変動、所定の停止図柄に応じた大当たり遊技などを行うようにしており、これらは公知の内容であるため説明を省略する。
【００３３】
このように前面遊技領域２０ａと、この前面遊技領域２０ａの後方に後面遊技領域３０ａとを備えたパチンコ遊技機１において、前後方向に延びて前面遊技領域２０ａ及び後面遊技領域３０ａと区画する筒状部５２を有し、内部に遊技空間５０を形成する役物装置５１が設けられている。そして、その筒状部５２には前面遊技領域２０ａを流下する玉が遊技空間５０に入球可能な前面受入口５４と、後面遊技領域３０ａを流下する玉が遊技空間５０に入球可能な後面受入口５３とが設けられており、前面遊技領域２０ａ及び後面遊技領域３０ａのいずれの遊技領域を流下した玉も新しい遊技空間５０に入る可能性があり、その遊技空間５０へ入るルートが増え、遊技者に従来にない遊技性を提供でき、遊技者の興趣をさらに高めることができる。
【００３４】
また、役物装置５１の上面壁５２ａは中央が高い円弧状に形成されており、後面遊技領域３０ａを流下する玉が、その上面壁５２ａに沿って流下し、後面受入口５３から遊技空間５０に入ったり、或いは前面遊技領域２０ａを流下する玉が、その上面壁５２ａに沿って流下し、さらに側面壁５２ｂに近い部分を通過時に障害釘１９に当たって流下方向が変化し、前面受入口５４から遊技空間５０に入ったりして、玉の動きを楽しむことができる。
【００３５】
そして、遊技空間５０に入った玉の流下速度及び方向を変化させることが可能な波形状のステージ面５２ｄが形成され、このステージ面５２ｄを経由して、その遊技空間５０の外に排出されるようにされ、その排出された玉が、後面遊技領域３０ａに設けられた特別始動可変入賞口３３に入賞し易いような位置に、遊技空間５０と連通する誘導出口３７が設けられており、遊技空間５０に入った玉は、特別始動可変入賞口３３に入賞し易いため、その遊技空間５０に入ることで遊技者に入賞への期待感を高めることができる。また、その遊技空間５０におけるステ−ジ面５２ｄで、玉の動きがゆっくりとなって流下していくように玉の流下に変化をつけさせて、期待感を持続しながら遊技者がその玉の動きを楽しむことができる。
【００３６】
さらに、役物装置５１の下部において、ステージ面５２ｄの前方に開口５５が形成されており、ステージ面５２ｄにおける玉の動き次第で、誘導出口３７に誘導されることなく、遊技空間５０からそのまま前面遊技領域２０ａに排出されてしまうこともあり、入賞の期待が外れる場合もあって遊技に変化をつけ面白味を加えることができる。
【００３７】
また、後面遊技盤３０と積層される前面遊技盤２０に挿通孔２４が形成され、役物装置５１は、筒状部５２がその挿通孔２４を挿通して、後面遊技盤３０に前面遊技盤２０に対し突き出すように取付けることができ、前面遊技領域２０ａと後面遊技領域３０ａとにまたがってパチンコ遊技機１の中央に新しい遊技空間５０を形成することができ、遊技者の興味を引くようにできる。
【００３８】
（変形例１）
図９は変形例を示す。変形例では役物装置の筒状部の外壁面の形状に変更を加えている。図９は役物装置１５１の平面図である。図９に示すように、役物装置１５１の筒状部１５２の側面壁１５２ｂ,１５２ｂの外壁面１５３, １５３は、斜面状に形成され、前方にいくほど先細りとなっている。すなわち筒状部１５２は、平面視において後面遊技盤３０に取付けられた部分よりも、前面遊技盤２０及びガラス扉１０に向かう（前方に向かう）ほど先細りの筒形態をなしている。なお、側面壁１５２ｂ,１５２ｂの内壁面１５４,１５４は、前後方向に平行な面に形成されている。側面壁１５２ｂ,１５２ｂの先端部分の肉厚は、後面遊技盤３０に取付けられた部分よりも小となっている。
【００３９】
このように役物装置１５１の筒状部１５２の側面壁１５２ｂ,１５２ｂの外壁面１５３,１５３が斜面状に形成されており、回動自在に設けられた前面遊技盤２０を後面遊技盤３０と積層状態に配置する際に、回動時に筒状部１５２が前面遊技盤２０の挿通孔２４にスムーズに通され、所定の積層状態に配置する作業が容易に行える。この場合、実施例では前面遊技盤２０の回動方向（一側端に軸が設けられ前後方向に回動）に対応して少なくとも側面壁１５２ｂ,１５２ｂの外壁面１５３,１５３を斜面状に形成すればよいが、必要に応じて筒状部１５２の上面壁或いは下面壁においても、その外壁面を斜面状に形成することができる。なお、前面遊技盤が取り外し自在に設けられた場合においても、後面遊技盤と前面遊技盤とを積層状態に取付けの際の配置作業が容易に行える。
【００４０】
なお、本実施例に次のような変形例を加えてもよい。
（１）前面遊技領域２０ａに入賞口（例えば始動入賞口）を設けて、遊技空間５０から排出された玉が、前面遊技領域２０ａに設けられたその入賞口に入賞し易いような位置に、誘導出口を形成するように構成してもよい。
（２）後面遊技領域３０ａに玉発射機構によって玉が打ち込まれる例を示したが、前面遊技盤２０に前面レールを設けて前面遊技領域２０ａに玉が打ち込まれるようにしてもよい。
【図面の簡単な説明】
【００４１】
【図１】本発明のパチンコ遊技機の正面模式図。
【図２】ガラス扉の正面図。
【図３】前面遊技盤及び後面遊技盤の正面図。
【図４】前面遊技盤及び後面遊技盤の斜視図。
【図５】役物装置の構造を示す図。
【図６】図５のＡ−Ａ断面図。
【図７】前面移動口の構造を示す図。
【図８】後面移動口の構造を示す図。
【図９】役物装置の変形例を示す平面図。
【符号の説明】
【００４２】
１    パチンコ遊技機
１０  ガラス扉
２０  前面遊技盤
２０ａ  前面遊技領域（第１遊技領域）
２４  挿通孔
３０  後面遊技盤
３０ａ  後面遊技領域（第２遊技領域）
３７  誘導出口
５０  遊技空間（第３遊技領域）
５１  役物装置（遊技空間形成部材）
５２,１５２  筒状部
５２ｄ  ステージ面
５３  後面受入口
５４  前面受入口
１５３  外壁面
【図１】
2006167024.tif 000003
【図２】
2006167024.tif 000004
【図３】
2006167024.tif 000005
【図４】
2006167024.tif 000006
【図５】
2006167024.tif 000007
【図６】
2006167024.tif 000008
【図７】
2006167024.tif 000009
【図８】
2006167024.tif 000010
【図９】
2006167024.tif 000011